(57)【特許請求の範囲】
【請求項１】
ディスプレイの複数の表示セル間に各表示セルにそれぞれ隣接するように配置された複数の光センサと、
表示セル毎の輝度の予定値と前記光センサによる表示セル毎の輝度の実測値との差に基づいて表示セル毎の輝度および色彩のうちの少なくとも一方を調整する表示制御回路とを有し、
前記表示制御回路は、
前記予定値と前記実測値との輝度差が所定値未満であるとき、正常な動作のログとしてカウントする一方、
前記予定値と前記実測値との輝度差が所定値以上であるとき、警告を出力すると共に通信網を介した外部に送信し、かつ、エラーイベントログとしてカウントし、
さらに、前記エラーイベントログのカウント値が所定回数に達したとき、ディスプレイの表示を停止することを特徴とするディスプレイ焼付防止装置。
【請求項２】
前記光センサによる表示セル毎の輝度を所定の時間間隔で測定する輝度検出回路をさらに有する請求項１に記載のディスプレイ焼付防止装置。
【請求項３】
前記光センサは、ディスプレイの前記表示セル間に配置された請求項１または２に記載のディスプレイ焼付防止装置。
【請求項４】
請求項１乃至３のいずれか１つに記載の前記ディスプレイ焼付防止装置を有するディスプレイ。
【請求項５】
プラズマディスプレイ、液晶ディスプレイ、またはＥＬ（Electro Luminescence）ディスプレイである請求項４に記載のディスプレイ。
【発明の詳細な説明】
【技術分野】
【０００１】
本発明は、プラズマディスプレイ等のディスプレイ（表示装置）に適用され、ディスプレイにおけるドット表示が行われる表示セルの焼付を防止するディスプレイ焼付防止装置に関する。
【背景技術】
【０００２】
一般に、ディスプレイは、表示するコンテンツが長時間不変であると、ドット表示が行われる表示セルの表示物質が劣化する焼付と呼ばれる現象を来たす。焼付を起こすと、ディスプレイの表示品質が低下する。
【０００３】
特に、所謂電子ポスター等と呼ばれることもある街頭もしくは屋内の広告、掲示サービスに用いられる比較的大型のプラズマディスプレイは、その仕様上、焼付を起こし易く、なおかつ、広告、掲示サービスでは長時間同じコンテンツ表示を行うことが多いため、特に焼付を起こし易い。
【０００４】
尚、ディスプレイの焼付防止策として、一定時間所望の表示コンテンツを表示後に自動的に低輝度かつ表示コンテンツ（高輝度領域）が変化する画像に切り替えたり、輝度をゼロとするようなスクリーンセーバと呼ばれる機能をディスプレイに搭載した例は多くある。
【０００５】
尚、特許文献１の請求項２、図４および図１１には、透過型液晶と反射型液晶とを組み合わせた構成であって、外光に応じてバックライトの輝度を調整する液晶表示装置が開示されている。また、特許文献２の請求項１には、表示セル（画素）の延べ点灯時間を積算し、その時間に応じてバックライトの輝度を上下調整する技術が開示されている。さらに、特許文献３の図３には、輝度センサをディスプレイのスクリーン前面の四隅に設け、これらセンサの実測値に応じて輝度を補正する技術が開示されている。また、特許文献４の図１ならびに段落００３０〜００３２には、カラーマッチングを目的とし、ディスプレイの入力信号と出力信号との輝度の製造誤差を調整する技術が開示されている。
【０００６】
【特許文献１】特開２０００−１２２５７４号公報
【特許文献２】特開２０００−１３２１３９号公報
【特許文献３】特開２００１−０４５３２７号公報
【特許文献４】特開２００３−０５８１２７号公報
【発明の開示】
【発明が解決しようとする課題】
【０００７】
しかし、前述のスクリーンセーバ機能は、単にタイマによってこの機能を働かせるため、表示コンテンツの表示スケジュールや内容を全く無視した形となり、前述した広告、掲示サービスをも含め、所望の広告、掲示に応じた表示コンテンツを休止することなく長時間表示し続ける用途には、不適である。
【０００８】
また、一度設定した焼付防止処理のスケジュールはその都度オペレータの手により設定する必要があり、運用している期間はオペレータによるディスプレイの表示確認と、焼付防止処理の設定をすることが困難である。
【０００９】
オペレータや観客の目視による確認でしかディスプレイの焼付を確認することが出来ないことが問題であった。このために観客にパブリックな場所への広告用ディスプレイとして利用するのが難しかった。
【００１０】
さらに、オペレータがいない場合にディスプレイの焼付に気付かずに焼きついたままの表示を続けてしまい、電子ポスターなどの広告表示用とではユーザが満足する品質を保つことが出来ず問題となっている。
【００１１】
尚、特許文献１に記載された技術においては、焼付防止機能に関する記載や示唆は無く、焼付防止効果も全く奏することはない。また、特許文献２に記載された技術においては、装置の個体差や表示画像固有の焼付には対応できない。さらに、特許文献３に記載された技術においては、４つの光センサでは検出精度が悪く、装置の個体差や表示画像固有の焼付には対応できない。また、特許文献４に記載された技術においては、焼付防止については記載はもとより、示唆すらされていない。
【００１２】
それ故、本発明の課題は、所望の広告、掲示に応じた表示コンテンツを休止することなく長時間表示し続ける用途にも適していると共に、焼付を正確に検出できるディスプレイ焼付防止装置ならびにこれを有するディスプレイを提供することである。
【課題を解決するための手段】
【００１３】
本発明によれば、ディスプレイの複数の表示セル間に各表示セルにそれぞれ隣接するように配置された複数の光センサと、表示セル毎の輝度の予定値と前記光センサによる表示セル毎の輝度の実測値との差に基づいて表示セル毎の輝度および色彩のうちの少なくとも一方を調整する表示制御回路とを有することを特徴とするディスプレイ焼付防止装置が得られる。
【００１４】
本発明によればまた、前記表示制御回路は、前記予定値と前記実測値との輝度差が所定値以上であるとき、警告を出力する前記ディスプレイ焼付防止装置ディスプレイ焼付防止装置が得られる。
【００１５】
本発明によればさらに、前記表示制御回路は、前記警告の回数が所定回数以上であるとき、ディスプレイの表示を停止する前記ディスプレイ焼付防止装置ディスプレイ焼付防止装置が得られる。
【００１６】
また、本発明によれば、前記光センサによる表示セル毎の輝度を所定の時間間隔で測定する輝度検出回路をさらに有する前記ディスプレイ焼付防止装置が得られる。
【００１７】
さらに、本発明によれば、前記表示制御回路は、前記警告を通信網を介した外部に出力する前記ディスプレイ焼付防止装置が得られる。
【００１８】
また、本発明によれば、前記光センサは、ディスプレイの前記表示セル間に配置された前記ディスプレイ焼付防止装置が得られる。
【００１９】
また、本発明によれば、前記ディスプレイ焼付防止装置を有するディスプレイが得られる。
【００２０】
また、本発明によれば、プラズマディスプレイ、液晶ディスプレイ、またはＥＬ（Electro Luminescence）ディスプレイである前記ディスプレイが得られる。
【発明の効果】
【００２１】
本発明の第１の効果は、所望の広告、掲示に応じた表示コンテンツを休止することなく長時間表示し続ける用途にも適していると共に、焼付を正確に検出できることである。
【００２２】
第２の効果は、無人でディスプレイの焼付状態を確認することが出来るということである。このため、広告表示などへのディスプレイ用途などでは専用にオペレータがディスプレイの焼付状態を確認する必要がなくなることである。
【００２３】
第３の効果は、ディスプレイの一時的な異常発生を検知することが出来ることである。タイマにて常に、ディスプレイへの表示内容を確認し比較を行っているため、焼付や寿命などのほかにも映像信号の乱れなどの他の以上検出が可能となることである。
【００２４】
第４の効果は、表示制御回路へ光認識装置から直接、光の情報を出力し比較することにより焼付の兆候が発生した場合でも自動的にその兆候を判断し、焼付防止処理を自動で実行することができることである。
【００２５】
第５の効果は、光の情報が一致しなかった場合に表示制御回路から焼付軽減処理を自動実行することで焼付対策を迅速に実行することができ、ディスプレイの寿命を長くすることが可能となることである。
【００２６】
このように、本発明によれば、焼付の発生が考えられるディスプレイへの応用が考えられる。焼付防止処理などを自動で行うことが出来るので無人で運転する必要がある公共の場や、特殊な高所設置のディスプレイなどオペレータが不在で、操作、設定が困難な場合、場所に対して焼付の防止を図りながらディスプレイ表示を行うこと可能とする。
【発明を実施するための最良の形態】
【００２７】
以下、図面を参照して、本発明によるディスプレイ焼付防止装置について説明する。
【００２８】
図１（ａ）および図２を参照して、本ディスプレイ焼付防止装置は、プラズマディスプレイであるディスプレイ１００の複数の表示セル１００ａ間に各表示セル１００ａにそれぞれ隣接するように配置された複数の光センサ１０と、表示セル１００ａ毎の輝度の予定値と光センサ１０による表示セル１００ａ毎の輝度の実測値との差に基づいて、表示セル１００ａ毎の輝度および色彩のうちの少なくとも一方を調整する表示制御回路３０とを有している。
【００２９】
光センサ１０は、ディスプレイ１００の表示セル１００ａ間の電極部１００ｂ間に重畳するように配置されている。このように、表示セル間に光センサを配置することで、ユーザによる画像の視認が妨げられることがない。
【００３０】
表示制御回路３０は、前記予定値と前記実測値との輝度差が所定値以上であるとき、警告を出力する。
【００３１】
表示制御回路３０は、前記警告の回数が所定回数以上であるとき、ディスプレイ１００の表示を停止する。
【００３２】
光センサ１０による表示セル毎の輝度を所定の時間間隔で測定する、輝度検出回路２０をさらに有している。
【００３３】
表示制御回路３０は、前記警告を通信網を介した外部に出力することが可能である。
【００３４】
尚本発明において、ディスプレイは、プラズマディスプレイに限らず、表示セルを有するディスプレイであればよく、液晶ディスプレイまたはＥＬ（Electro Luminescence）ディスプレイ等であってもよい。
【実施例１】
【００３５】
以下、図面を参照して、本発明の実施例によるディスプレイ焼付防止装置について説明する。
【００３６】
図１（ａ）を参照して、光センサ１０は、ディスプレイ１００上の電極部１００ｂに沿って配置されており、ディスプレイ１００の表示セル１００ａからの発光光を光電変換して輝度検出回路２０に出力する。
【００３７】
尚、ディスプレイの形式が液晶ディスプレイの場合には、図１（ｂ）に示すように、光センサ１０は、バックライト２００よりも視認面側（図中上方）に、隣り合う表示セル１００ａ間に重畳するように配置される。また、ディスプレイの形式が有機ＥＬ（Electro Luminescence）ディスプレイの場合には、図１（ｃ）に示すように、光センサ１０は、視認面側（図中上方）の透明電極である電極部１００ｂに沿って、隣り合う表示セル１００ａ間に重畳するように配置される。いずれにしても、本発明において、光センサは、ディスプレイの表面側、即ち、光源面もしくは発光素子面よりも視認面寄り、かつ、隣り合う表示セル間に配置される。尚、ＥＬ（Electro Luminescence）ディスプレイとしては、有機ＥＬディスプレイ、無機ＥＬディスプレイのどちらであってもよい。また、カラータイプのディスプレイの場合、表示セルには、通常、Ｒ（赤）、Ｇ（緑）、Ｂ（青）各色用のセルがある。
【００３８】
図２は、ディスプレイ１００、輝度検出回路２０、表示制御回路３０、輝度信号ケーブル４０、映像信号ケーブル５０で構成される接続構成図である。
【００３９】
図１（ａ）および図２を参照して、ディスプレイ１００の表示セル１００ａ間の電極部１００ｂ上の光センサ１０は、受け取った光を電気信号に変え輝度検出回路２０に出力する。
【００４０】
輝度検出回路２０は、光センサ１０より受け取った信号を表示制御回路３０向けにデジタル変換する。
【００４１】
輝度検出回路２０は、輝度信号ケーブル４０より表示制御回路３０へ輝度情報をデジタル信号で出力する。
【００４２】
表示制御回路３０は、輝度検出回路２０から受け取った信号と表示制御回路３０がディスプレイ１００へ出力している映像信号と比較する。
【００４３】
表示制御回路３０には、光センサ１０と輝度検出回路２０を経由することによる輝度低減や、色彩低減の差異が予め設定ならびに記憶されている。
【００４４】
表示制御回路３０は、輝度や色彩の低減の差異分を追加し比較した輝度検出回路２０からの信号と、出力している映像信号に設定値以上の差異が見られるかどうかを判断する。
【００４５】
表示制御回路３０の表示内容比較部３２は、輝度検出回路２０のタイマ２２によって一定時間毎に採取された輝度検出回路２０からの光情報の信号を受け取ると、受け取った光情報の座標における値を、表示制御回路３０からディスプレイ１００に出力しているドライブ信号の値と比較する。
【００４６】
比較した内容が一致しているか、異なっているかで、焼付の兆候が見られるかの判断を行い、焼付が起きていない場合は表示制御回路３０の第１のカウンタ３３のカウント値Ｃ１を１プラスし、正常であったことのログとして記録する。
【００４７】
比較した内容が一致していない場合は、焼付の兆候が見られるとし、表示制御回路３０のコンテンツ制御部３５もしくはネットワーク等を介した外部の管理システム等に対して警告を送信する。これと共に、一致していなかったことを、第２のカウンタ３４のカウント値Ｃ２に１プラスし、ログとして記録する。
【００４８】
警告を受け取った表示制御回路３０のコンテンツ制御部３５は、焼付を軽減させるための表示、例えば、低輝度、あるいは、抑制された色彩に切り替えてコンテンツ表示を継続する。
【００４９】
輝度検出回路２０のタイマ２２動作により一連の動作を繰り返し、表示制御回路３０の第２のカウンタ３４のカウント値Ｃ２がある閾値Ｌを超えた場合には、これ以上の表示は焼付がひどくなり表示品質的に耐えられないと判断し、表示制御回路３０のコンテンツ制御部３５によるディスプレイ表示を停止する。
【００５０】
図３は、本装置の動作を示すフロー図である。以下、図１〜図３を参照して、本装置の動作について説明する。
【００５１】
光センサ１０は、ディスプレイ１００に表示、出力されている光の輝度、色彩情報をセンスし、輝度検出回路２０へアナログ信号で出力する。
【００５２】
まず、初期設定として、光センサ１０より初めて送られてきたデータを元に、ディスプレイ１００の初期状態における輝度情報、色彩情報を設定する。
【００５３】
光センサ１０からリアルタイムに光の情報信号を受けている輝度検出回路２０は、そのタイマ２２によって定期的な時間でセンスする。
【００５４】
表示制御回路３０の表示内容比較部３２は、輝度検出回路２０の光の入力情報を常に監視し、座標単位で光の情報の値を比較する。即ち、表示制御回路３０にて光センサより送られてきた光の情報と当初設定したディスプレイの初期状態における輝度情報、色彩情報と比較し、その値に差異があるかどうかを判別する。
【００５５】
比較差異が見られない場合は、表示制御回路３０は、その第１のカウンタ３３のカウント値Ｃ１をカウントし、正常な動作のログとしてタイムスタンプなどの情報などと記録する。そのままコンテンツ制御部３５をスルーし表示しているコンテンツの表示処理を続ける。
【００５６】
差異が見られる場合は、まず、表示制御回路３０かその先にネットワークなどで管理サーバが接続されている場合はその管理サーバへ警告を送信する。
【００５７】
次いで、表示制御回路３０は、その第２のカウンタ３４のカウント値Ｃ２をカウントし、差異があったタイムスタンプや光の情報などをエラーイベントログとして記録する。
【００５８】
第２のカウンタ３４のカウント値Ｃ２が閾値Ｌ＜Ｃ２などの予め設定した値よりも差異の発生回数が超えた場合には、表示停止の処理に切り替わる。
【００５９】
図３を参照すると、タイマ２２で一定時間ごとに輝度検出回路２０からの光の情報を確認を行っている。表示内容比較部３２は、輝度検出回路２０による検出値（Ｈ（Ｘ、Ｙ））と、表示制御回路３０のディスプレイ１００への出力信号（Ｄ（Ｘ、Ｙ））とを座標単位で比較し、値が異なっているかどうかで焼付の兆候を判断する。
【００６０】
正常な動作期間を把握するために第１のカウンタ３３を設けている。第１のカウンタ３３のカウント値Ｃ１が異なっていた場合は、表示内容比較部３２でコンテンツ制御部３５に対して警告を送信し、コンテンツ制御部３５のオペレータやその先にネットワークなどで管理サーバが繋がっているオペレータへ警告を表示する。
【００６１】
さらに、第２のカウンタ３４のカウント値Ｃ２に差異があったことを記録する。その際に、タイムスタンプや差異のあった値などログとして必要な情報を全て記録することで一時的なものなのか、焼付軽減処理を実行しても軽減しない焼付なのかのレベルをログから把握することも可能となる。表示内容に差異が見られた場合は、コンテンツ制御部３５で焼付軽減処理を実行し、コンテンツの表示を行う。
【００６２】
この実施例では、リアルタイムで焼付の兆候を判断し、焼付の初期症状が現れた時点で焼付軽減処理を実行することができるため、ディスプレイの寿命低下を軽減する効果を有する。
【００６３】
また、光の情報の比較にて差異を判断する際に輝度情報と色彩情報とを別々に管理することによりバックライトの寿命の判断も可能となる。
【産業上の利用可能性】
【００６４】
以上、本発明の実施例について説明してきたが、本発明はこの実施例に限定されるものではなく、当該特許請求の範囲に記載された技術範囲内であれば、種々の変形が可能であることは云うまでもない。
【図面の簡単な説明】
【００６５】
【図１】本発明によるディスプレイ焼付防止装置における光センサの配置を示す概略的な斜視図であり、（ａ）はプラズマディスプレイへの配置例を示し、（ｂ）は液晶ディスプレイへの配置例を示し、（ｃ）はＥＬディスプレイへの配置例を示す。
【図２】本発明によるディスプレイ焼付防止装置の構成を示すブロック図である。
【図３】本発明によるディスプレイ焼付防止装置の動作を説明するためのフロー図である。
【符号の説明】
【００６６】
１０    光センサ
２０    輝度検出回路
２２    タイマ
３０    表示制御回路
３２    表示内容比較部
３３    第１のカウンタ
３４    第２のカウンタ
３５    コンテンツ制御部
４０    輝度信号ケーブル
５０    映像信号ケーブル
１００    ディスプレイ
１００ａ  表示セル
１００ｂ  電極部
２００    バックライト
【図１】
0004678134.tif 000002
【図２】
0004678134.tif 000003
【図３】
0004678134.tif 000004